(57)【要約】【課題】      折り畳み状態を維持する係止具が嵌め易い釣り用バケツを提供することである。【解決手段】  ケ−ス本体１は柔軟性を有する非透湿性の合成樹脂シ−トに上方に開口１ａを有するように形成されて、これらシ−トの端部を溶着して一周する側部１ｂと底部１ｃとし、側部１ｂは折り畳みができるように形成されている。  側部１ｂには斜め方向に折り目からなる折り畳み用の折り曲げ部１ｅが設けられて、より折り畳みが容易にできるようになっている。  ケ−ス本体１の開口１ａの折り返し部１ｄの下側の側部１ｂに保護シ−ト７を介して雌スナップ状係止具５が取り付けられ、他の側部１ｂの底部１ｃに近い下側に保護シ−ト７を介して雄スナップ状係止具６が取り付けられている。【選択図】        図１
2006034260.tif 000002
【特許請求の範囲】
【請求項１】
少なくとも底部と側部を有し、上部に開口を有するケ−ス本体の側部を折り曲げ可能に形成すると共に、前記側部の、前記側部を折り曲げたときに対向する位置に互いに係脱可能に係合する係止具を取り付けたことを特徴とする釣り用バケツ。
【請求項２】
係止具は、側部を折り曲げたときの折り曲げ部を挟んで取り付けたことを特徴とする請求項１記載の釣り用バケツ。
【請求項３】
係止具は、側部を折り曲げたとき互いに向かい合って係合するように設けたことを特徴とする請求項１または２記載の釣り用バケツ。
【発明の詳細な説明】
【技術分野】
【０００１】
本発明は、ケ−ス本体の側面部を折り曲げて折り畳みその状態が維持できる魚釣りに用いる釣り用バケツに関する。
【背景技術】
【０００２】
従来から折り畳み可能な釣り用バケツが用いられ、嵩張らずに持ち運びが出来て便利であった。
しかし、この釣り用バケツは、そのままでは折り畳み状態が維持できず広がってしまうと言う欠点があった。
このため、無理に荷物の間に挟んで収納したり、例えば、特許文献１の図８に記載された従来技術のように結束紐で縛って広がらないようにしていた。
しかし、このような結束紐を一緒に持ち運ぶのは不便であった。
【０００３】
さらに、特許文献２のように、本出願人はケ−ス本体の側面部の上部と下部に夫々舌片の上端または下端を固定し、上側の舌片と下側の舌片に夫々雄スナップ状係止具と雌スナップ状係止具を取り付けた提案をした。
特許文献２では係止具を係止することで折り畳み状態が維持できるので簡単な構造で持ち運びが便利であるが、折り畳んだ状態を保持しながら、上側の舌片に取り付けられた雄スナップ状係止具と下側の舌片に取り付けられた雌スナップ状係止具を位置合わせして係合しなければならないので、係止具が嵌め難かった。
【特許文献１】特許第２９７５９５２号公報
【特許文献２】特開２００４−８１１７２号公報
【発明の開示】
【発明が解決しようとする課題】
【０００４】
解決しようとする問題点は、特許文献１のように、折り畳み可能な釣り用バケツを折り畳んで結束紐で縛って広がらないようにすることは、結束紐を一緒に持ち運ぶので不便であった。
特許文献２では係止具が嵌め難かったことである。
【０００５】
本発明の目的は前記欠点に鑑み、折り畳み状態を維持する係止具が嵌め易い釣り用バケツを提供することである。
【課題を解決するための手段】
【０００６】
本発明の請求項１は、少なくとも底部と側部を有し、上部に開口を有するケ−ス本体の側部を折り曲げ可能に形成すると共に、前記側部の、前記側部を折り曲げたときに対向する位置に互いに係脱可能に係合する係止具を取り付けたことを要旨とするものである。
本発明の請求項２の係止具は、側部を折り曲げたときの折り曲げ部を挟んで取り付けたことを要旨とするものである。
本発明の請求項３の係止具は、側部を折り曲げたとき互いに向かい合って係合するように設けたことを要旨とするものである。
【発明の効果】
【０００７】
本発明によると、釣り用バケツのケ−ス本体を折り畳みながら容易に係止具を係合してケ−ス本体の折り畳み状態を維持できる。
【発明を実施するための最良の形態】
【０００８】
釣り用バケツのケ−ス本体１は柔軟性を有する非透湿性の合成樹脂シ−トに上方に開口１ａを有するように例えば四角形（丸形でもよい）に形成されて、これらシ−トの端部を溶着して一周する側部１ｂと底部１ｃとし、側部１ｂは折り畳みができるように形成されている。
側部１ｂには斜め方向に折り目からなる折り畳み用の折り曲げ部１ｅが設けられて、より折り畳みが容易にできるようになっている。
折り曲げ部１ｅは周辺より薄肉に形成するなどして設けられている。
ケ−ス本体１の開口１ａの折り返し部１ｄの下側の側部１ｂの外表面に雌スナップ状係止具５が外方を向いて取り付けられ、他の側部１ｂの底部１ｃに近い下側の外表面に雄スナップ状係止具６が外方を向いて取り付けられている。
雌スナップ状係止具５と雄スナップ状係止具６は夫々側部１ｂのシ−トに直接取り付けられると水漏れが起こることかあるためこれを防ぐ保護シ−ト７に取り付けられて保護シ−ト７は側部１ｂに溶着や接着等で止着固定されている。
【実施例１】
【０００９】
以下、図示の実施例によって本発明を説明すると、図１から図６は第１実施例で、図１は釣り用バケツの斜視図と（ａ）、（ｂ）は一部拡大斜視図、図２は釣り用バケツが折り畳まれた斜視図、図３は釣り用バケツが折り畳まれて係止された正面図、図４はケ−ス本体の一部拡大断面平面図、図５は釣り用バケツの断面側面図と要部拡大断面側面図、図６は係止具の拡大断面側面図である。
【００１０】
釣り用バケツは、ケ−ス本体１が例えばエチレン酢酸ビニ−ル、ポリエチレン、ポリ塩化ビニ−ル等の折り曲げが可能な柔軟性を有する非透湿性の合成樹脂シ−トに上方に開口１ａを有するように例えば四角形（丸形でもよい）に形成されて、これらシ−トの端部を溶着や接着をして一周する側部１ｂと底部１ｃとし、側部１ｂは折り畳みができるように形成されている。
ケ−ス本体１には開口１ａに沿って硬質（金属や合成樹脂）のフレ−ム２が設けられ、フレ−ム２の外側をシ−トは内側から外側にフレ−ム２で折り返され、端部が開口１ａの外側の容器壁に止着（縫着、溶着等）されて折り返し部１ｄとなっている。
ケ−ス本体１は柔軟性を有する合成樹脂シ−トを用いて折り畳みができるように形成したが、側部１ｂには斜め方向に折り目からなる折り畳み用の折り曲げ部１ｅが設けられて、より折り畳みが容易にできるようになっている。
折り曲げ部１ｅは周辺より薄肉に形成するなどして設けられている。
【００１１】
ケ−ス本体１の側部１ｂの四隅の角部１ｆには、折り返し部１ｄ下側から底部１ｃまで、すなわち、ケ−ス本体１の開口１ａ側から底部１ｃ側まで上下方向に連続した溝で凹凸状の補強部１ｇが形成されている。
凹凸状の補強部１ｇは、ケ−ス本体１の側部１ｂが外側又は内側に突出した溝で形成されている。
この溝は１本でも複数本設けてもよい。
また、この溝は側部１ｂを断面波状に形成してケ−ス本体１の外方と内方に交互に突出するようにしても良い。
凹凸状の補強部１ｇは、熱プレスや高周波成形により形成する。
凹凸形状はケ−ス本体１の側部１ｂの外側か内側のいずれか一方側が凹んでいればよく、また、その時他方側は平らでも突出していても良い。
この時凹んで溝が形成された部分は側部１ｂと同一肉厚か、また、好ましくは薄肉になっている。
さらに、凹凸状の補強部１ｇを連続的に並べて、波状に形成するとさらに補強効果が大きくなりケ−ス本体１のつぶれが防止される。
【００１２】
釣り用バケツは、ケ−ス本体１と、ケ−ス本体１の開口１ａの折り返し部１ｄの対向位置に取り付けられた支持部３、３と、支持部３、３に取り付けられた下げ紐４と、ケ−ス本体１の側部１ｂの外表面で支持部３、３の下側に取り付けられた雌スナップ状係止具５と、支持部３、３のない他の側部１ｂの外表面で底部１ｃに近い下側に取り付けられた雄スナップ状係止具６で構成されている。
雌スナップ状係止具５と雄スナップ状係止具６は夫々側部１ｂのシ−トに直接取り付けられると水漏れが起こることを防いで図４、図５のように保護シ−ト７に取り付けられて保護シ−ト７は側部１ｂに溶着や接着等で止着固定されている。
係止具はスナップ状係止具に代えて面ファスナでもよい。
【００１３】
ケ−ス本体１を折り畳むときは、底部１ｃに対して開口１ａを（または図２のように開口１ａに対して底部１ｃを）周方向に回転させながら上下に押しつぶし、側部１ｂは凹凸状の補強部１ｇに沿って折り曲がり、ケ−ス本体１は開口１ａと底部１ｃが畳まれた側部１ｂの折り曲げ部１ｅが谷折りになってケ−ス体内側に折れ曲がりを挟んで側部１ｂの隣り合う面の一部が向かい合うように重合して容易に折り畳むことができ、折り畳むと共に前記対向する面にそれぞれ対向するように設けた雌スナップ状係止具５と雄スナップ状係止具６を互いに正面から係合させる。
折り曲げ部１ｅに沿って折り曲げるとこれら係止具５と係止具６がそのまま向い合わせになって係合できるため折り畳み状態に容易にできる。
尚、凹凸状の補強部１ｇは上下方向に形成されているため、ケ−ス本体１のつぶれを防止する他、ケ−ス本体１の側部１ｂを折曲げて上下に押しつぶして折り畳む時に底部１ｃに対して開口１ａを（または図２のように開口１ａに対して底部１ｃを）周方向に回転させると凹凸状の補強部１ｇに沿って折り曲がり、ケ−ス本体１は開口１ａと底部１ｃが畳まれた側部１ｂの折り曲げ部１ｅを挟んで向かい合うように重合して容易に折り畳むことができると共に雌スナップ状係止具５と雄スナップ状係止具６が上下位置となるので容易に係合することができる。
尚、補強部１ｇは設けなくてもよい。
【００１４】
前記のように釣り用バケツが構成されると、側部１ｂを折り曲げた時に対向する位置に係止具５、６を取り付けたのでケ−ス本体１を折り畳みながら容易に係止具５、６を係合してケ−ス本体１の折り畳み状態を維持できる。
尚、折り曲げ部１ｅは周辺より薄肉に形成してもよいが、同一肉厚であっても一度折り曲げを行って折り目が癖付けされていれば折り曲げ部とすることができる。
【実施例２】
【００１５】
図７、図８は第２実施例で、図７は釣り用バケツの断面側面図と一部拡大断面側面図、図８は係止具の拡大断面側面図である。
【００１６】
第２実施例では、雄スナップ状係止具６の外側にカバ−８が取り付けられている。
他の構成は前記第１実施例と略同一である。
【００１７】
雄スナップ状係止具６の外側に沿ってこれを囲むようにカバ−８が取り付けられていると、釣り用バケツを水汲みに使用した時、雄スナップ状係止具６が取り付けられた側部１ｂが岩等に擦れても雄スナップ状係止具６が損傷されることがない。
【実施例３】
【００１８】
図９、図１０は第３実施例で、図９は釣り用バケツの正面図、図１０は釣り用バケツが折り畳まれる途中の斜視図である。
【００１９】
第３実施例では、ケ−ス本体１が前記第１実施例と略同様に四角形に形成され、四隅に保護シ−ト９が縦方向に側部１ｂに重ねて溶着や接着等で止着固定されている。
ケ−ス本体１は縦方向の中間で横方向に連続して内側に折り曲げられるように折り曲げ部１ｅが形成されている。
折り曲げ部１ｅを挟んで保護シ−ト９の上下に雌スナップ状係止具５と雄スナップ状係止具６が取り付けられている。
下側の雄スナップ状係止具６の外側に第２実施例のようにカバ−を設けてもよい。
他の構成は前記第１実施例と略同一である。
【実施例４】
【００２０】
図１１、図１２は第４実施例で、図１１は釣り用バケツの正面図、図１２は釣り用バケツが折り畳まれた斜視図である。
【００２１】
第４実施例では釣り用バケツは、ケ−ス本体１の上部開口１ａが矩形で、側部１ｂ（前面α、右側面βなどの側面を形成する部分）と底部１ｃを有し、例えばエチレン酢酸ビニ−ルや塩化ビニ−ル等の合成樹脂製シ−トを用いて一体、もしくは、複数のシ−トを溶着や接着等で接合して形成されて防水性と柔軟性を有している。
側部１ｂの開口縁にフレ−ム材がシ−ト材で包み込まれ、側部１ｂは開口１ａにおいて内側から外側へ折り返されて折り返し部１ｄが側部１ｂに縫着や溶着等で固定されている。
ケ−ス本体１は縦方向の中間で横方向に連続して内側に折り曲げられるように折り曲げ部１ｅが形成されている。
折り曲げ部１ｅを挟んで上下に保護シ−ト７を介して雌スナップ状係止具５と雄スナップ状係止具６が取り付けられている。
下側の雄スナップ状係止具６の外側に第２実施例のようにカバ−を設けてもよい。
【００２２】
側部１ｂの一側に蓋体１０が開閉自在に取り付けられると共に、上部開口１ａ側の側部１ｂの開口周縁と蓋体１０の開口周縁にチャック１１が取り付けられて開閉自在となっている。
本願のケ−ス本体１は、少なくとも側部１ｂと底部１ｃを有するケ−ス本体であるが、このように蓋体１０を取り付けていてもよい。
側部１ｂの対向する前面αと後面に夫々ハンドル１２の止着部１２ａ、１２ａが固定されている。
側部１ｂは、折り曲げが容易に行えるように折り曲げ部１ｅが熱プレスや高周波成形で形成され、折り曲げ部１ｅは薄肉の溝部であったり、一度折り曲げを行う等によりケ−ス本体１の内側等に向けて折り癖を付けて形成されている。
ケ−ス本体１を広げた状態でこれを形成する合成樹脂シ−トの弾性で折り曲げ部１ｅを延ばして張りを持たせると自立してケ−ス本体１の形状を維持し、ケ−ス本体１内に撒き餌を入れたり、水を入れたりして使用できる。
尚、折り曲げ部が上記構造でなくとも、ケ−ス本体１が柔軟性を有していれば底部１ｃと上部開口１ａを近づけて折り畳み可能であり、この場合、側部１ｂの上下長さの中間が折り曲げ部１ｅとなる。
【００２３】
釣り用バケツのケ−ス本体１が折り畳まれる時は、折り曲げ部１ｅでへこんで高さ方向で折り畳まれて底部１ｃ側と上部開口１ａ側が近づけられ、雌スナップ状係止具５と雄スナップ状係止具６が係合される。
折り畳まれた後は、雌スナップ状係止具５と雄スナップ状係止具６で折り畳み状態が維持される。
【産業上の利用可能性】
【００２４】
本発明は釣り用バケツ全般に利用できる。
【図面の簡単な説明】
【００２５】
【図１】第１実施例で、釣り用バケツの斜視図と（ａ）、（ｂ）は一部拡大斜視図である。
【図２】同釣り用バケツが折り畳まれた斜視図である。
【図３】同釣り用バケツが折り畳まれて係止された正面図である。
【図４】同ケ−ス本体の一部拡大断面平面図である。
【図５】同釣り用バケツの断面側面図と要部拡大断面側面図である。
【図６】同係止具の拡大断面側面図である。
【図７】第２実施例で、釣り用バケツの断面側面図と一部拡大断面側面図である。
【図８】同係止具の拡大断面側面図である。
【図９】第３実施例で、釣り用バケツの正面図である。
【図１０】同釣り用バケツが折り畳まれる途中の斜視図である。
【図１１】第４実施例で、釣り用バケツの正面図である。
【図１２】同釣り用バケツが折り畳まれた斜視図である。
【符号の説明】
【００２６】
１  ケ−ス本体
１ａ  開口
１ｂ  側部
１ｅ  折り曲げ部
５、６  係止具
【図１】
2006034260.tif 000003
【図２】
2006034260.tif 000004
【図３】
2006034260.tif 000005
【図４】
2006034260.tif 000006
【図５】
2006034260.tif 000007
【図６】
2006034260.tif 000008
【図７】
2006034260.tif 000009
【図８】
2006034260.tif 000010
【図９】
2006034260.tif 000011
【図１０】
2006034260.tif 000012
【図１１】
2006034260.tif 000013
【図１２】
2006034260.tif 000014